(57)【要約】【課題】遊技機枠に対して基板ケースが不正に取り外されることを防止して、電子基板に対する不正行為を予防することができる遊技機枠ユニットを提供すること。【解決手段】この遊技機枠ユニットは、ベース部材２１と、ベース部材２１に対して装着される基板ケース３５と、を有し、ベース部材２１と基板ケース３５のうちいずれか一方には、突起部４３を設け、他方に突起部４３が挿入可能な穴部４４を設け、突起部４３が穴部４４に挿入した状態において基板ケース３５がベース部材２１に対して相対移動することにより、穴部４４を構成する壁面によって穴部４４内から穴部４４外へ移動する方向へ突起部４３の相対移動が規制されたロック状態となる。【選択図】図８
2011067280.tif 000002
【特許請求の範囲】
【請求項１】
遊技盤が装着される遊技機枠と、
該遊技機枠の後方に装着されたベース部材と、
該ベース部材に対して装着され、電子基板を内包する基板ケースと、を有する遊技機枠ユニットであって、
前記ベース部材と前記基板ケースのうちいずれか一方には、他方に向けて突出した突起部が設けられており、かつ該他方には、該突起部が挿入可能な穴部が設けられており、
前記突起部が前記穴部に挿入した状態において前記基板ケースが前記ベース部材に対して相対移動することにより、該突起部は挿入方向と直交する面内で該穴部に対して相対移動し、該穴部を構成する壁面によって該穴部内から該穴部外へ移動する方向への該突起部の相対移動が規制されたロック状態となるように構成されている、遊技機枠ユニット。
【請求項２】
前記突起部が前記穴部に挿入された状態で、該突起部と該穴部とが相対的に回転することにより前記ロック状態となるように構成されている、請求項１に記載の遊技機枠ユニット。
【請求項３】
前記突起部が前記穴部に挿入された状態で、該突起部と前記穴部とが相対的にスライド移動することにより前記ロック状態となるように構成されている、請求項１に記載の遊技機枠ユニット。
【請求項４】
前記ベース部材と前記基板ケースのうち少なくともいずれか一方には、前記ロック状態を解除する方向への前記穴部に対する前記突起部の相対移動を規制する第１規制部が設けられている、請求項１から請求項３のいずれかに記載の遊技機枠ユニット。
【請求項５】
前記ベース部材に対して移動した後の前記基板ケースと近接するように前記ベース部材に対して装着され、前記ロック状態を解除する方向への前記ベース部材に対する前記基板ケースの相対移動を規制する第２規制部を更に備える、請求項１から請求項３のいずれかに記載の遊技機枠ユニット。
【発明の詳細な説明】
【技術分野】
【０００１】
本発明は、遊技機枠ユニットに係り、特に電子基板を内包する基板ケースに対する不正行為を防止する遊技機枠ユニットに関する。
【背景技術】
【０００２】
パチンコ機等の遊技機においては、弾球された遊技球が遊技領域（遊技盤面又はその近傍に形成された領域であって、遊技球の流下による遊技や演出を実現するための領域。）を流下して、その流下の過程で遊技球が遊技領域内の遊技釘（ゲージともいう。）や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球払出しはされない。遊技者は、弾球における自らの技量を発揮して、又は遊技球の流下における偶然性を利用しつつ遊技球の入賞及び賞球の払出しを期待し、遊技を楽しむのである。
【０００３】
このようなパチンコ機においては、年々遊技の態様や演出が複雑化・多様化してきており、それに伴い遊技機の動作や演出を制御するための電子基板の構造や機能も複雑化・多様化してきている。このような電子基板に対して不正な破壊や改造が行われると、遊技が適正に行われなかったり、一部の不正な遊技者に対して不当な利益が付与されてしまったりするおそれがある。そのため、この電子基板を基板ケースによって内包し、外部からアクセスし難く構成している。
【０００４】
また、特許文献１には、電子基板を内包した基板ケースを遊技機枠の後面に着脱自在に構成した遊技機が記載されている。この遊技機は、基板ケースに円筒形ガイドを一体に形成すると共に、円筒形ガイドの内底部に係合孔を形成して、遊技機枠の下部裏面に固着したケーシングの背面に係合片を形成する。ケーシングに背面から円筒形ガイドを外嵌して基板ケースを回転することにより係合片を係合孔に係合させて、基板ケースを遊技機枠の背部に着脱自在に取り付けるように構成されている。
【先行技術文献】
【特許文献】
【０００５】
【特許文献１】特開平１１−１７９０００号公報
【発明の概要】
【発明が解決しようとする課題】
【０００６】
特許文献１に記載の遊技機は、遊技機枠に対して基板ケースが着脱自在に構成されているため、基板ケースが不正に取り外されてしまうおそれがある。取り外された基板ケースが破壊等されると、内部に収容している電子基板にアクセス可能となり、電子基板に対して不正な破壊や改造が行われたり、不正な電子基板に交換されてしまったりするおそれがある。
【０００７】
本発明は、上記の事情に鑑みて為されたもので、遊技機枠に対して基板ケースが不正に取り外されることを防止して、電子基板に対する不正行為を予防することができる遊技機枠ユニットを提供することを例示的課題とする。
【課題を解決するための手段】
【０００８】
上記の課題を解決するために、本発明の例示的側面としての遊技機枠ユニットは、遊技盤が装着される遊技機枠と、遊技機枠の後方に装着されたベース部材と、ベース部材に対して装着され、電子基板を内包する基板ケースと、を有し、ベース部材と基板ケースのうちいずれか一方には、他方に向けて突出した突起部が設けられており、かつ他方には、突起部が挿入可能な穴部が設けられており、突起部が穴部に挿入した状態において基板ケースがベース部材に対して相対移動することにより、突起部は、挿入方向と直交する面内で穴部に対して相対移動し、穴部を構成する壁面によって穴部内から穴部外へ移動する方向への突起部の相対移動が規制されたロック状態となるように構成されている。
【０００９】
ベース部材と基板ケースのうちいずれか一方には、他方に向けて突出した突起部が設けられている。突起部は、穴部に挿入可能であり、挿入方向と直交する面内を穴部に対して相対的に移動可能に構成されている。例えば、穴部に対して挿入方向と反対方向に突起部を相対移動させると、突起部は穴部内から穴部外に移動する。一方、挿入方向と直交する面内で穴部に対して突起部を相対移動させることにより、突起部は穴部外に移動せずに、穴部を構成する壁面によって穴部内から穴部外へ移動する方向への突起部の移動が規制されたロック状態となる。
【００１０】
このロック状態とは、穴部内から穴部外へ移動する方向へ突起部が穴部に対して相対的に移動できない状態である。具体的には、穴部内から穴部外へ移動する方向（例えば、挿入方向と反対方向）において穴部を構成する壁面が突起部に対向して配置されており、穴部内から穴部外へ移動する方向へ突起部が移動できない状態である。
【００１１】
ロック状態となることにより、穴部内から穴部外に向かう方向への突起部の相対移動を規制して、ベース部材と基板ケースとが互いに離間する方向へ移動することを規制できる。したがって、ベース部材から基板ケースが取り外されることを防止することができる。電子基板にアクセスするためには、電子基板を内包する基板ケースをベース部材から取り外し、基板ケース内から電子基板を取り出すことが考えられる。しかし、本発明によれば、基板ケースをベース部材から不正に取り外されることを防ぐことができ、電子基板への不正アクセスを防止することができる。
【００１２】
なお、ベース部材は、遊技機枠の後方に配置され、基板ケースが装着されるように構成されていればよく、遊技機枠に対して着脱自在に構成されていてもよいし、遊技機枠と一体化されていてもよい。しかし好適には、ベース部材が基板ケースと共に取り外されてしまうことを防止するため、ベース部材は、遊技機枠と一体化された構成や、遊技機枠に対して着脱不可能に固定された構成が望ましい。
【００１３】
また、本発明における相対的な移動とは、一方が他方に対して移動したり、他方が一方に対して移動したり、互いに移動したりすることにより、互いの位置関係が相対的に変化するような移動態様である。具体的には、穴部と突起部との相対移動においては、穴部が突起部に対して移動してもよいし、突起部が穴部に対して移動してもよいし、穴部と突起部とが互いに移動してもよい概念である。
【００１４】
突起部が穴部に挿入された状態で、突起部と穴部とが相対的に回転することによりロック状態となるように構成されていてもよい。突起部と穴部とを相対的に回転させることによって、ベース部材から基板ケースが離間する方向への移動を規制するロック状態とすることができる。
【００１５】
突起部が穴部に挿入した状態においては、突起部と穴部とは挿入方向において重なっており、挿入方向と反対方向に相対移動することにより突起部は穴部内から穴部外へ移動する。しかし、突起部が穴部に挿入した状態において突起部と穴部とが相対的に回転すると、回転中心以外の部分は、挿入方向においてずれて配置される。したがって、突起部が穴部から抜ける方向の相対移動を規制して、ベース部材と基板ケースとが離間することを防止することができる。
【００１６】
更に、例えば、突起部と穴部とが相対的に９０度回転することによってロック状態とするように構成すると、ベース部材と基板ケースとが前後左右等にスライド移動しても、ロック状態が解除されず、ベース部材と基板ケースとが離間することを効果的に防止することができる。
【００１７】
突起部が穴部に挿入された状態で、突起部と穴部とが相対的にスライド移動することによりロック状態となるように構成されていてもよい。突起部と穴部とを相対的にスライド移動させることによっても、ベース部材から基板ケースが離間する方向への移動を規制するロック状態とすることができる。
【００１８】
穴部と突起部とを相対的にスライド移動させるように構成することにより、例えば、穴部を構成する壁面に沿って突起部を移動させたり、突起部に沿って穴部を移動させたりして、一方を他方のガイドとして円滑にロック状態を実現することができる。また、突起部と穴部とのスライド移動とは、突起部と穴部のみのスライド移動としてもよいし、突起部と穴部のうち一方が設けられたベース部材と他方が設けられた基板ケースとのスライド移動としてもよい。
【００１９】
ベース部材と基板ケースのうち少なくともいずれか一方には、ロック状態を解除する方向への穴部に対する突起部の相対移動を規制する第１規制部が設けられていてもよい。第１規制部を設けることにより、一旦ロック状態となった後にロック状態が解除されることを防止し、ベース部材から基板ケースが取り外されることを効果的に防止することができる。
【００２０】
具体的な構成としては、穴部を構成する面から突起部に向かって高くなる傾斜面を有する突出部材を例示できる。突起部と穴部とが相対移動する状態では、傾斜面に沿って突起部を移動させ、突起部が傾斜面の最も高い部分を乗り越えると、傾斜面を構成する壁部によってロック状態を解除する方向への突出部材の相対移動を規制したロック状態とすることができる。
【００２１】
また、他の構成として、突出部材の傾斜面に沿って突起部を移動させずに、突出部材を突起部から離間する方向に弾性変形可能に構成してもよい。具体的には、突起部と穴部とが相対移動する状態では、傾斜面を突起部から離間するように弾性変形させ、更に移動して傾斜面と突起部とが対向しない状態において突出部材を復元させることにより、突出部材によってロック状態を解除する方向への突起部の相対移動を規制したロック状態とすることができる。
【００２２】
遊技機枠ユニットは、ベース部材に対して移動した後の基板ケースと近接するようにベース部材に対して装着され、ロック状態を解除する方向へのベース部材に対する基板ケースの相対移動を規制する第２規制部を更に備えていてもよい。第２規制部を設けることによっても、一旦ロック状態となった後に、ロック状態が解除されることを防止し、ベース部材から基板ケースが取り外されることを効果的に防止することができる。
【００２３】
具体的には、ベース部材と基板ケースとが相対移動してロック状態となった後に、移動前の基板ケースが配置されていた位置（非ロック状態における基板ケースの位置）に第２規制部を装着する。このように第２規制部を装着することにより、基板ケースが移動前の位置に移動できなくなり、ロック状態から非ロック状態へ基板ケースが移動することを防止することができる。
【００２４】
また、基板ケースがベース部材に対して相対移動してロック状態となる前の状態では、電子部品は配置されておらず、ロック状態となる際の移動の妨げとならず、円滑な移動を確保することができる。なお、第２規制部は、ロック状態となった後に、基板ケースの近傍においてベース部材に装着されるものであればよく、電子基板を有する他の基板ケース、遊技機枠を構成する遊技部品等、種々の構成を採用することができる。
【００２５】
遊技機枠ユニットは、ロック状態を検知する検知手段を更に備えることが望ましい。ロック状態を検知する検知手段を備えることにより、ロック状態が不正に解除されたことを確実かつ早急に検知することができる。更に、ロック状態が解除されることを検知した際に、遊技を停止したり、不正に開放されたことを報知したりするように構成することにより、例えば、不正な景品球の払出し等、不正な遊技の継続を防止し、不正行為による被害の拡大を抑制することができる。
【００２６】
具体的な構成としては、例えば、穴部と突起部とに電気的接点を各々設け、ロック状態において接点が接続され、非ロック状態において接点の接続が解除される構成や、穴部と突起部との一方に光を投受光するセンサの投光部の一方を設けると共に、他方に受光部を設けて、ロック状態において投受光させ、非ロック状態において投受光させないようにしてロック状態を検知する構成や、穴部と突起部との一方に磁性体を設けると共に、他方に磁気を検出する検出センサを設け、ロック状態において磁気を検出させ、非ロック状態において磁気を検出させないようにしてロック状態を検知する構成を例示できる。
【００２７】
遊技機枠ユニットは、基板ケースに内包される電子基板を更に備え、電子基板には、正面から視認した状態において突起部及び穴部を視認可能にするための窓部が設けられていることが望ましい。基板ケースとベース部材とに設けられた突起部と穴部との相対位置を視認することによりロック状態であるか否かを確認することができる。しかし、基板ケースには、電子基板が内包されており、電気基板の配置によっては突起部と穴部との視認性が低下するおそれがある。
【００２８】
しかし、電気基板に窓部を設けることにより、正面から突起部と穴部とを視認することが可能となり、正面から容易にロック状態であるか否かを確認することができる。電子基板に対する不正行為を効果的に予防しつつ、そのような不正行為が行われた際に簡便にその痕跡を確認することができて、不正行為の予防及び早期発見に寄与することができる。
【００２９】
窓部とは、電子基板に形成された穴部やスリット等の開口部分や、透明又は半透明に形成された透過部分を例示でき、突起部及び穴部を視認できるような構成であればよい。更に、窓部を併せて正面側の基板ケースを透明又は半透明の材質とすることにより、突起部及び穴部の視認性を向上させ、目視による不正行為の早期発見に寄与することができる。
【００３０】
突起部には、穴部と異なる色の流体が封入されているように構成してもよい。突起部と穴部との相対位置を視認することにより、ロック状態であるか否かを確認することができる。このとき、突起部の内部に穴部の色と異なる色の流体を封入することにより、突起部と穴部との相対的な位置関係を把握し易くなり、ロック状態であるか否かを容易に確認することが可能となる。
【００３１】
なお、穴部と異なる色の流体とは、穴部が無色（透明）の場合における着色された流体や、穴部が有色の場合における無色の流体を含む概念である。また、流体は、突起部に封入可能なものであればよく、気体や液体のみならず、微細な顆粒物の集合体をも含む概念である。
【００３２】
なお、本発明において基板ケースは、電子基板を内包する全体としてのケースをいう場合と、全体のケースを構成する複数のケース部材１つ１つをいう場合とがある。例えば、協働して電子基板を内包する複数の基板ケースという場合の基板ケースは、全体としての基板ケースを構成するケース部材をいう。そのケース部材が複数協働して全体としてひとまとまりとなったケースを基板ケースという場合もあり、その基板ケースが電子基板を内包する。
【００３３】
本発明の更なる目的又はその他の特徴は、以下添付図面を参照して説明される好ましい実施の形態によって明らかにされるであろう。
【発明の効果】
【００３４】
本発明によれば、突起部が穴部に挿入した状態において基板ケースとベース部材とを相対移動させることにより、穴部内から穴部外へ移動する方向への突起部の相対移動を規制したロック状態を実現することができる。ベース部材から基板ケースが取り外されることを防止して、電子基板への不正アクセスを防止することができる。
【００３５】
更に、ロック状態を解除する方向への穴部に対する突起部の相対移動を規制する第１規制部又は第２規制部を設けることにより、一旦ロック状態となった後に、ロック状態が解除されることを防止し、ベース部材から基板ケースが取り外されることを効果的に防止することができる。
【００３６】
また、正面から視認した状態において突起部及び穴部を視認するための窓部を電子基板に設けることにより、突起部と穴部との相対位置を容易に視認して、ロック状態であるか否かを確認することできる。電子基板に対する不正行為を効果的に予防しつつ、そのような不正行為が行われた際に簡便にその痕跡を確認することができて、不正行為の予防及び早期発見に寄与することができる。
【図面の簡単な説明】
【００３７】
【図１】本発明の実施の形態１に係るパチンコ機の正面図である。
【図２】図１に示すパチンコ機の背面図である。
【図３】実施の形態１に係る主制御基板ケースの正面図である。
【図４】主制御基板ケースの分解斜視図である。
【図５】図３に示すＡ−Ａ断面図である。
【図６】主制御基板ケースを右前方から視認した斜視図である。
【図７】突起部と穴部との係合部分を模式的に示した正面図である。
【図８】突起部と穴部との係合部分を模式的に示した断面図である。
【図９】変形例に係る突起部と穴部との係合部分を模式的に示した正面図である。
【図１０】変形例に係る突起部と穴部との係合部分を模式的に示した断面図である。
【図１１】実施の形態１に係る突起部と穴部とを模式的に示した断面図である。
【発明を実施するための形態】
【００３８】
＜実施の形態１＞
以下、本発明の実施の形態１について図面を用いて説明する。図１は、本発明の実施の形態１に係る遊技機枠ユニットを有する遊技機としてのパチンコ機２の正面図であり、図２は、図１に示すパチンコ機２の背面図である。このパチンコ機２は、遊技機枠３、遊技盤ユニット５、ガラス１０、発射ユニット（不図示）、球皿１４を有している。発射ユニットは、１個ずつ遊技球２３を遊技盤ユニット５に構成される遊技領域１６に向けて発射可能である。
【００３９】
パチンコ機２は、遊技者が後述する発射装置ハンドル１５を操作することによって、遊技領域１６に向けて遊技球が発射ユニットによって発射され、遊技球の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態１においては、デジパチ遊技（１種遊技、図柄変動遊技ともいう。）を実現するいわゆる１種タイプのパチンコ機について例示説明する。なお、図柄変動遊技については後述する。
【００４０】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００４１】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。遊技機枠ユニットは、遊技盤ユニット５を保持する前枠９と、後述する主制御基板ケース（基板ケース）３５と、主制御基板ケース３５を前枠９に装着するためのベース部材２１と、を備えている。
【００４２】
ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないようにする不正アクセス防止機能、を発揮する。
【００４３】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００４４】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００４５】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されると共に、この演出表示装置７ａの表示部７ｂを露出させるための表示開口部７ｄが形成されている。
【００４６】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００４７】
遊技釘２７は、遊技領域１６を流下する遊技球２３と衝突してその流下方向を変更させる流下変更部材であり、多数が遊技領域１６内に配置されている。また、遊技領域１６には、普通入賞口２８、始動入賞口２９、大入賞口３１等の入球部材及びアウト口３０が配置されている。更に、遊技領域１６には、ゲート３３、風車２５等が配置されており、流下する遊技球２３が各入球部材に流入したり、ゲート３３を通過したり、風車２５を回転させたりすることによって、遊技球２３による流下遊技を楽しむことができるようになっている。
【００４８】
センター役物７は、演出表示装置７ａの周囲を覆うように構成されており、図柄変動遊技（１種遊技）を実現するものである。センター役物７の上部には、図柄表示手段としての第１図柄（特別図柄)表示装置１７が配置されると共に、センター役物７の中央部には、演出表示装置７ａが配置されている。
【００４９】
第１図柄（特別図柄)表示装置１７には、抽選手段の抽選結果である第１図柄の変動が表示される。第１図柄は、始動入賞口２９への遊技球２３の入球を契機として実行される第１抽選の結果に対応した図柄である。第１図柄の変動表示が所定の当選態様で停止することにより第１特別遊技としての大当りが発生する。
【００５０】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００５１】
図２に示すように遊技盤６の裏面側には、パチンコ機２の全体の制御を行う遊技制御手段としての主制御基板３４を内包する主制御基板ケース３５と、演出表示装置７ａの画像表示等演出の制御等を行う演出制御基板（図示せず）を収容した演出制御基板ケース３６と、賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００５２】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定数の賞球の払出し契機となり、あるものはいずれの入球装置にも流入せずに遊技領域１６内最下部に位置するアウト口３０に流入してアウト球としてパチンコ機２の外部側へと排出される。
【００５３】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００５４】
次いで、主制御基板ケース３５とベース部材２１の取付構造について図３から図８を用いて詳細に説明する。以下の説明においては、上下及び前後左右の方向は、遊技者からパチンコ機２を見た際の方向に基づいて定義し、図中に適宜図示する。なお、本実施の形態１では、主制御基板ケース３５について例示して説明するが、他の制御基板ケースについても同様の構造を採用することが可能である。
【００５５】
図３は、ベース部材２１に装着された主制御基板ケース３５の正面図であり、図４は、主制御基板ケース３５の分解斜視図である。図５は、図３に示すＡ−Ａ断面図であり、図６は、ベース部材２１と主制御基板ケース３５とを分離した状態を前方から視認した斜視図である。
【００５６】
主制御基板ケース３５は、ベース部材２１に装着される本体ケース（基板ケース）３５ａと、本体ケース３５ａに対して着脱自在に固定される蓋ケース（基板ケース）３５ｂとの２つの基板ケースを有し、これら両者が協働して主制御基板３４を内部に内包する。主制御基板３４は、蓋ケース３５ｂの内面側に形成された開口部に固定されて、蓋ケース３５ｂと本体ケース３５ａとが係合することにより、主制御基板ケース３５の内部に収容されるようになっている。この収容された状態では、主制御基板３４に対して外部から接触することはできない。
【００５７】
主制御基板３４の表面（ここでいう表面は、前面側である場合と後面側である場合とを含む。）には、ＲＯＭ、ＲＡＭ、ＣＰＵ等の電子デバイス、接続コネクタ等を含む電子部品３４ｂが実装されている。主制御基板３４の周囲には、固定面としての固定穴３４ａが形成されている。主制御基板３４の後側から固定穴３４ａに固定ネジを挿入して、この固定ネジと蓋ケース３５ｂのネジ穴（図示せず）とをネジ止めすることにより、主制御基板３４が蓋ケース３５ｂ内に固定されるようになっている。
【００５８】
図４に示す主制御基板ケース３５の下側部には、ヒンジ部が設けられている。ヒンジ部は、本体ケース３５ａの下側壁面に沿った軸部（図示せず）と、この軸部に係止される円弧状の弧状爪部３５ｅと、を有して構成され、軸部は蓋ケース３５ｂに形成され、弧状爪部３５ｅは本体ケース３５ａに形成されている。蓋ケース３５ｂは本体ケース３５ａに対して軸部を中心として揺動可能に支持されており、蓋ケース３５ｂが本体ケース３５ａに対して回転移動することより、主制御基板ケース３５の開口部を開放した開状態と閉鎖した閉状態とを実現する。
【００５９】
主制御基板ケース３５の上側部には、痕跡残留部としての封止部が形成されている。封止部は、本体ケース３５ａに形成された本体カシメ部３５ｇと、蓋ケース３５ｂに連結部材３５ｈを介して接続された蓋カシメ部３５ｋと、本体カシメ部３５ｇと蓋カシメ部３５ｋとの間に収容可能な封止片３５ｍと、からなる。
【００６０】
封止片３５ｍは、「ロック」の文字が印字された表面が前方に位置する第１状態又は表面が後側に位置する第２状態で各カシメ部に収容される。本体カシメ部３５ｇ内に封止片３５ｍを第１状態で配置して基板ケースを閉状態とすると、封止片３５ｍは本体カシメ部３５ｇ及び蓋カシメ部３５ｋと嵌合して、主制御基板ケース３５の閉状態が保持される封止状態となる。一方、本体カシメ部３５ｇに封止片３５ｍを第２状態で配置して基板ケースを閉状態とすると、封止片３５ｍは本体カシメ部３５ｇ及び蓋カシメ部３５ｋと嵌合せず、基板ケースの閉状態は保持されない。
【００６１】
したがって、主制御基板ケース３５を閉状態で封止する際には、いずれかの封止片３５ｍを第１状態として各カシメ部に配置し、他の封止片３５ｍを第２状態として各カシメ部に配置して、基板ケースを閉状態とする。これにより、主制御基板ケース３５は、封止状態となる。
【００６２】
このような封止部によって主制御基板ケース３５を封止することにより、封止状態を解除することは困難であり、主制御基板ケース３５を開封するためには、第１状態の封止片３５ｍを収容した蓋カシメ部３５ｋと連結された連結部材３５ｈを切断して、この蓋カシメ部３５ｋを蓋ケース３５ｂから切り離すことが必要である。したがって、主制御基板ケース３５を開封した後は、連結部材３５ｈを切断した痕跡が残り、主制御基板ケース３５が不正に開放されたことを検出することができる。
【００６３】
更に、主制御基板ケース３５の上端部には、本体ケース３５ａと蓋ケース３５ｂの分離を阻止すべく両ケースに跨るように固定された封印シール４１が貼付されている。主制御基板ケース３５が不正に開放されると、封印シール４１が破れるため、不正に開放されたことを検知することができる。しかし、主制御基板ケース３５自体がベース部材２１から取り外されてしまうと、不正に主制御基板３４にアクセスされてしまうおそれがある。この対策としてベース部材２１から主制御基板ケース３５が不正に分離されないようにするために、ベース部材２１から主制御基板ケース３５が離間するのを規制するように構成されている。
【００６４】
ベース部材２１には、本体ケース３５ａ側に向けて突出した突起部４３が設けられており、本体ケース３５ａには、突起部４３を収容可能な穴部４４が形成されている。突起部４３は、円柱形状の軸部４３ａと、軸部４３ａの先端に連結され、軸部４３ａより左右方向に延出した膨出部４３ｂと、を有する。穴部４４は、突起部４３を挿入させる挿入穴部４４ａと、挿入穴部４４ａの後方に配置され、挿入された膨出部４３ｂを相対的に回転させる保持穴部４４ｂと、を有する。
【００６５】
次いで、図７及び図８に基づいて主制御基板ケース３５のベース部材２１への取付態様について説明する。図７及び図８は、突起部４３と穴部４４との係合部分を模式的に示した図である。図７は正面図であり、図８は図７に示すＣ−Ｃ断面、Ｄ−Ｄ断面、及びＥ−Ｅ断面を示した図である。図７及び図８に示す（ａ）及び（ｂ）は非ロック状態を示しており、（ｃ）はロック状態を示している。
【００６６】
主制御基板ケース３５をベース部材２１に装着する際には、主制御基板ケース３５を縦配置の状態とする。本体ケース３５ａの背面に形成された挿入穴部４４ａは縦長に形成されており、主制御基板ケース３５が縦配置の状態では、挿入穴部４４ａが横長となり、挿入穴部４４ａとベース部材２１に設けられた膨出部４３ｂとが対向して配置される。
【００６７】
主制御基板ケース３５を縦配置の状態として前方に（ベース部材２１に向けて）移動すると（ａ）に示す状態となり、主制御基板ケース３５に形成された穴部４４内に突起部４３が挿入される。（ａ）に示す状態から主制御基板ケース３５をベース部材２１に向けて更に移動すると（ｂ）に示す状態となり、主制御基板ケース３５の穴部４４内に突起部４３が収容される。
【００６８】
（ｂ）に示す状態において主制御基板ケース３５をベース部材２１に沿って図示するＢ方向に９０度回転させると、穴部４４に収容された突起部４３が保持穴部４４ｂ内で相対的に９０度回転されて（ｃ）に示す状態となる。（ｃ）は、主制御基板ケース３５が横配置の状態であり、突起部４３と保持穴部４４ｂを構成する壁面とが前後方向において重なっており、突起部４３と穴部４４とが前後方向に移動できないロック状態である。
【００６９】
このように、主制御基板ケース３５をベース部材２１に対して相対的に回転させて装着することにより、穴部４４に対する挿入方向（前方）と直交する面内（ベース部材２１と平行な面内）で穴部４４に対して相対的に突起部４３を回転させ、穴部４４を構成する壁面によって穴部４４内から穴部４４外へ移動する方向（後方）への突起部４３の相対移動を規制したロック状態とすることができる。ベース部材２１と主制御基板ケース３５とが離間する方向への移動を規制して、ベース部材２１から主制御基板ケース３５が取り外されることを防止し、主制御基板３４への不正アクセスを防止することができる。また、突起部４３及び穴部４４は、正面から視認した状態において主制御基板ケース３５の略中央に配置されているため、主制御基板ケース３５の端部に配置される構成と比較して、比較的強い外力に対抗することが可能となる。
【００７０】
更に、本実施の形態１では、図２に示すように、主制御基板ケース３５を回転させた後、主制御基板ケース３５の上方と下方とに電気部品４２を固定している。この電気部品４２は第２規制部として機能しており、主制御基板ケース３５が横配置の状態から縦配置の状態に回転してロック状態が解除されることを防止する。
【００７１】
具体的には、主制御基板ケース３５とベース部材２１とのロック状態を解除するためには、横配置の主制御基板ケース３５を９０度回転させて縦配置として、突起部４３を穴部４４外へ移動させることが必要である。しかし、主制御基板ケース３５を回転させるためのスペースに電気部品４２を配置することにより、主制御基板ケース３５を回転させるためのスペースを塞ぐことができる。電気部品４２を取り外すことにより、主制御基板ケース３５を回転させるためのスペースを設けることができるが、主制御基板ケース３５の取り外し作業に時間と手間を要するように構成して、不正分離を抑制することができる。
【００７２】
また、主制御基板ケース３５を構成する本体ケース３５ａ及び蓋ケース３５ｂは、透明な材質で形成されており、内部を視認することができるようになっており、主制御基板ケース３５に内包された主制御基板３４には、正面から穴部４４及び突起部４３を視認するための窓部３４ｃが設けられている。
【００７３】
窓部３４ｃは、主制御基板３４の中央に形成された開口部であり、本体ケース３５ａに設けられた穴部４４と対向して配置されている。このように、正面から突起部４３と穴部４４とを視認可能に構成することにより、正面から容易にロック状態であるか否かを確認することができ、不正行為が行われた際に簡便にその痕跡を確認することができて、不正行為の予防及び早期発見に寄与することができる。
【００７４】
以上のように本実施の形態１によれば、突起部４３が穴部４４に挿入された状態において主制御基板ケース３５をベース部材２１に対して相対移動させることにより、突起部４３が穴部４４内から穴部４４外へ移動する方向への相対移動を規制したロック状態として、ベース部材２１から主制御基板ケース３５が取り外されることを防止することができる。主制御基板ケース３５がベース部材２１から不正に取り外されることを防ぐことにより、主制御基板３４への不正アクセスを防止することができる。
【００７５】
以上、本発明の好ましい実施の形態１を説明したが、本発明はこれらに限定されるものではなく、その要旨の範囲内で様々な変形や変更が可能である。例えば、本実施の形態１においては、パチンコ機２に設けられた主制御基板ケース３５について例示的に説明したが、パチンコ機に限られず、スロットマシンに設けられた基板ケースについて適用してもよい。
【００７６】
また、本実施の形態１では、主制御基板ケース３５をベース部材２１に対して相対移動させた後に第２規制部としての電気部品４２をベース部材２１に固定して、ロック状態が解除されることを防止しているが、ロック状態を解除する方向への突起部の相対移動を規制する第１規制部を主制御基板ケース３５に設けるように構成してもよい。
【００７７】
次いで、主制御基板ケース３５に第１規制部を設けた変形例について図９及び図１０に基づいて説明する。図９及び図１０は、変形例に係る突起部４３と穴部４４との係合部分を模式的に示した図である。図９は正面図であり、図１０は断面図である。図１０（ａ１）は図９に示すＦ−Ｆ断面図であり、（ａ２）は図９に示すＧ−Ｇ断面図である。図１０（ｂ）は、図９に示すＨ−Ｈ断面図であり、（ｃ）は図９に示すＫ−Ｋ断面図である。（ａ）及び（ｂ）は非ロック状態を示しており、（ｃ）はロック状態に向けて移動している状態を示しており、（ｄ）はロック状態を示している。なお、図９においては説明の便宜上、穴部４４については実線で示し、突起部４３については一点鎖線で示しており、突起部４３と穴部４４とが重なっている部分については下方に位置する部分を点線で示している。また、実施の形態１と同様の構成については同符号を用いて説明を省略する。
【００７８】
変形例に係る穴部４４は、挿入穴部４４ａと、保持穴部４４ｂと、保持穴部４４ｂ内において突起部４３の膨出部４３ｂに向かって突出した規制突起部（第１規制部）４４ｃと、を備えている。図９においては、規制突起部４４ｃについて斜線を付して示している。規制突起部４４ｃは、突起部４３の軸部４３ａから離間するに伴って高くなる傾斜面を有しており、この傾斜面によってロック状態に向けて相対回転する突起部４３を上方に押し上げるように構成されている。
【００７９】
（ａ）は、穴部４４内に突起部４３が収容された状態であり、規制突起部４４ｃと突起部４３とは接していない。（ａ）に示す状態から主制御基板ケース３５が回転すると（ｂ）に示す状態となる。規制突起部４４ｃを有する穴部４４は、突起部４３に対して回転し、規制突起部４４ｃと突起部４３とが接触する。そして、規制突起部４４ｃの傾斜面に沿って突起部４３の膨出部４３ｂが上方に押し上げられる。
【００８０】
（ｂ）に示す状態から主制御基板ケース３５が更に回転すると、規制突起部４４ｃが突起部４３を通過して（ｃ）に示す状態となる。（ｃ）に示す状態では、突起部４３と保持穴部４４ｂを構成する壁面とが前後方向において重なっており、突起部４３と穴部４４とが前後方向に移動できない。更に、規制突起部４４ｃと規制突起部４４ｃとの間に突起部４３が配置されており、突起部４３と穴部４４との相対回転を規制することができる。したがって、一旦ロック状態となった後に、ロック状態が解除されることを防止し、ベース部材２１から主制御基板ケース３５が取り外されることを効果的に防止することができる。
【００８１】
また、実施の形態１においては、突起部４３と穴部４４とが相対的に回転することによりロック状態となるように構成されているが、この構成に限られず、突起部４３と穴部４４とが相対的にスライド移動することによりロック状態となるように構成されていてもよい。次いで、突起部４３と穴部４４とが相対的にスライド移動することによりロック状態となるように構成された実施の形態２について説明する。
【００８２】
＜実施の形態２＞
図１１は、実施の形態２に係る突起部１４３と穴部１２１ａとの係合部分を模式的に示した断面図である。実施の形態２においては、主制御基板ケース１３５の本体ケース１３５ａに突起部１４３が設けられ、ベース部材１２１に突起部１４３と係合する穴部１２１ａが形成されている。突起部１４３は、ベース部材１２１に向かって突出して形成されており、Ｌ字形状の断面形状となるように先端が屈曲している。
【００８３】
更に、本体ケース１３５ａには、ベース部材１２１に向かって突出して、ベース部材１２１から離間する方向に弾性変形可能な爪部１３５ｂが設けられている。ベース部材１２１には、突起部１４３が挿入可能な穴部１２１ａと、爪部１３５ｂが挿入可能な規制穴部１２１ｂが設けられている。
【００８４】
また、爪部１３５ｂと、規制穴部１２１ｂを構成するベース部材１２１の壁面と、には、投受光センサ（検知手段）１３６が設けられている。投受光センサ１３６は、投光部１３６ａと、投光部１３６ａからの光を受光する受光部１３６ｂと、を備えている。ロック状態において投光部１３６ａと受光部１３６ｂとが対向して配置されるように構成されており、光を投受光することによってロック状態を検知する。
【００８５】
次いで、実施の形態２に係る主制御基板ケース１３５のベース部材１２１への取付手順について説明する。図１１（ａ）は非ロック状態を示しており、（ｂ）はロック状態に向けて移動している状態を示しており、（ｃ）はロック状態を示している。
【００８６】
主制御基板ケース１３５をベース部材１２１に装着する際には、（ａ）に示すように、ベース部材１２１の穴部１２１ａと突起部１４３とが対向するように主制御基板ケース１３５を配置する。（ａ）に示す状態から主制御基板ケース１３５をベース部材１２１に向けて移動すると、ベース部材１２１の穴部１２１ａに突起部１４３が挿入されて（ｂ）に示す状態となる。（ｂ）に示す状態では、爪部１３５ｂはベース部材１２１と当接して、ベース部材１２１から離間する方向に弾性変形する。
【００８７】
（ｂ）に示す状態から主制御基板ケース１３５をベース部材１２１に沿ってスライド移動させると（ｃ）に示す状態となる。（ｃ）に示す状態では、突起部１４３の先端がベース部材１２１の穴部１２１ａを構成する壁面と係合し、ベース部材１２１から離間する方向への主制御基板ケース１３５の移動が規制されている。更に、爪部１３５ｂが規制穴部１２１ｂ内に落入しており、主制御基板ケース１３５のスライド移動が規制されている。
【００８８】
また、爪部１３５ｂが規制穴部１２１ｂに落入した状態では、投光部１３６ａと受光部１３６ｂとが対向して配置されており、投光部１３６ａからの光を受光部１３６ｂによって受光して、投受光センサ１３６によってロック状態を検知することができる。
【００８９】
このように実施の形態２によっても、主制御基板ケース１３５がベース部材１２１から不正に取り外されることを防止することができ、電子基板への不正アクセスを防止することができる。更に、ロック状態を検知する投受光センサ１３６を備えているため、ロック状態が不正に解除された場合に、非ロック状態を確実かつ早急に検知することができる。
【符号の説明】
【００９０】
２：パチンコ機（遊技機）
３：遊技機枠
４：外枠
５：遊技盤ユニット
６：遊技盤
６ａ：遊技盤面
７：センター役物
７ａ：演出表示装置
７ｂ：表示部
７ｃ：表示図柄
７ｄ：表示開口部
９：前枠
１０：ガラス
１２：ガラス枠
１４：球皿
１４ａ：上球皿
１４ｂ：下球皿
１４ｃ：球抜き部材
１５：発射装置ハンドル
１６：遊技領域
１７：第１図柄（特別図柄)表示装置
２１：ベース部材
２２：ヒンジ
２３：遊技球
２５：風車
２６：レール飾り
２６ａ：外レール
２７：遊技釘
２８：普通入賞口
２９：始動入賞口
３０：アウト口
３１：大入賞口
３２：装飾部材
３３：ゲート
３４：主制御基板（電子基板）
３４ａ：固定穴
３４ｂ：電子部品
３４ｃ：窓部
３５：主制御基板ケース（基板ケース）
３５ａ：本体ケース（基板ケース）
３５ｂ：蓋ケース（基板ケース）
３５ｅ：弧状爪部
３５ｇ：本体カシメ部
３５ｈ：連結部材
３５ｋ：蓋カシメ部
３５ｍ：封止片
３６：演出制御基板ケース
３７：払出制御基板ケース
３８：電源基板ケース
３９：外部出力端子板
４１：封印シール（封印部材）
４２：電気部品（第２規制部）
４３：突起部
４３ａ：軸部
４３ｂ：膨出部
４４：穴部
４４ａ：挿入穴部
４４ｂ：保持穴部
４４ｃ：規制突起部（第１規制部）
１２１：ベース部材
１２１ａ：穴部
１２１ｂ：規制穴部（第１規制部）
１３５：主制御基板ケース（基板ケース）
１３５ａ：本体ケース（基板ケース）
１３５ｂ：爪部（第１規制部）
１３６：投受光センサ（検知手段）
１３６ａ：投光部
１３６ｂ：受光部
１４３：突起部
【図１】
2011067280.tif 000003
【図２】
2011067280.tif 000004
【図３】
2011067280.tif 000005
【図４】
2011067280.tif 000006
【図５】
2011067280.tif 000007
【図６】
2011067280.tif 000008
【図７】
2011067280.tif 000009
【図８】
2011067280.tif 000010
【図９】
2011067280.tif 000011
【図１０】
2011067280.tif 000012
【図１１】
2011067280.tif 000013